【事件の表示】
　特許第２６２７１４５号「ディスクプレーヤ」の請求項１ないし２に係る特許に対する特許異議の申立てについて、次のとおり決定する。
【結論】
　訂正を認める。
　特許第２６２７１４５号の請求項１ないし２に係る特許を維持する。
【理由】
（１）手続の経緯
　特許２６２７１４５号発明（特願昭６３−２０１２０５号の分割出願、昭和６３年８月１２日出願）は、平成９年４月１８日にその特許の設定登録がなされ、その後、恒本昌美、神田厚及び中村吉孝より特許異議の申立てがなされ、取消理由通知がなされ、その指定期間内である平成１０年６月２６日付けで訂正請求がなされたものである。
（２）訂正の適否についての判断
ア．訂正の内容
ａ．請求項１を下記のように訂正する。
「【請求項１】
　駆動ローラ（１４）の回転力によりプレーヤ本体（Ｈ）内へのディスク（Ｌ）の送り込みとプレーヤ本体（Ｈ）内からのディスク（Ｌ）の排出が行われるディスクプレーヤにおいて、前記駆動ローラ（１４）の回転力で排出されるディスク（Ｌ）が、前記駆動ローラ（１４）上に位置し且つ一部がプレーヤ本体（Ｈ）から突出した位置に至ったことを検知して前記駆動ローラ（１４）の排出動作を停止させる検知器（Ｃ）が設けられ、前記駆動ローラ（１４）上に停止しているディスク（Ｌ）がプレーヤ本体（Ｈ）内へ再度押し込まれたことを前記検知器（Ｃ）が検知したときに、前記駆動ローラ（１４）がディスク送り込み方向へ再始動させられ、且つ前記検知器（Ｃ）は、このディスク（Ｌ）がプレーヤ本体（Ｈ）内での装填位置に至ったときに、これを検知できる位置に設けられており、前記検知器（Ｃ）の前記検知によりディスク送り込み方向へ再始動させられた前記駆動ローラ（１４）が停止することを特徴とするディスクプレーヤ。」
ｂ．特許明細書段落【０００８】の【課題を解決するための手段】の記載を、
「【０００８】
【課題を解決するための手段】
第１の本発明は、駆動ローラ（１４）の回転力によりプレーヤ本体（Ｈ）内へのディスク（Ｌ）の送り込みとプレーヤ本体（Ｈ）内からのディスク（Ｌ）の排出が行われるディスクプレーヤにおいて、前記駆動ローラ（１４）の回転力で排出されるディスク（Ｌ）が、前記１駆動ローラ（１４）上に位置し且つ一部がプレーヤ本体（Ｈ）から突出した位置に至ったことを検知して前記駆動ローラ（１４）の排出動作を停止させる検知器（Ｃ）が設けられ、前記駆動ローラ（１４）上に停止しているディスク（Ｌ）がプレーヤ本体（Ｈ）内へ再度押し込まれたことを前記検知器（Ｃ）が検知したときに、前記駆動ローラ（１４）がディスク送り込み方向へ再始動させられ、且つ前記検知器（Ｃ）は、このディスク（Ｌ）がプレーヤ本体（Ｈ）内での装填位置に至ったときに、これを検知できる位置に設けられており、前記検知器（Ｃ）の前記検知によりディスク送り込み方向へ再始動させられた前記駆動ローラ（１４）が停止することを特徴とするものである。」と訂正する。
ｃ．特許明細書段落【００１１】の【作用】の記載を、
「【作用】
前記第１の発明では、ディスクの再生などが完了したときに、送り機構に設けられた駆動ローラの回転力によってディスクが排出されるが、ディスクが駆動ローラ上に位置する時点で、検知器により排出完了の検知がなされ、その位置で駆動ローラが停止する。よって、ディスクがプレーヤ本体から突出して待機するときに、ディスクの後端が駆動ローラ上にて保持された状態となる。よって待機状態のディスクが安定して保持されることになり、挿入口などからディスクが落下するおそれがない。また挿入口などからのディスクの突出寸法が大きくても、ディスクが自重で落下しなくなる。また上記の待機状態で、ディスクが少し押されると、前記検知器によりディスクの押し込みが検知され、駆動ローラが送り込み方向へ始動し、再度ディスクがプレーヤ本体内に送り込まれる。そしてディスクが装填位置に至ったことを前記検知器が検知して、前記駆動ローラが停止する。このように１つの検知器により、ディスクの安定した待機位置での保持と、その位置からの再挿入の検知が可能になる。」と訂正する。
イ．訂正の目的の適否、新規事項の有無及び拡張・変更の有無
　訂正ａについて、訂正後の請求項１は、ディスクプレーヤの検知器（Ｃ）がディスク（Ｌ）の所定位置までの排出、そこからの再挿入に加えて、装填位置への移動の完了の状態の検知も行うことを明確にしたものであって特許請求の範囲の減縮に相当する。
　訂正ｂ．ｃは、特許請求の範囲の訂正に伴って、発明の詳細な説明の【課題を解決するための手段】及び【作用】の欄を訂正するものであるので明りょうでない記載の釈明に相当する。
　上記訂正ａ〜ｃは、新規事項の追加に該当せず、また、実質的に特許請求の範囲を拡張又は変更するものではない。
ウ．独立特許要件の判断
（訂正明細書記載の発明）
訂正後の請求項１に係る発明については、上記（２）ア．ａ．を参照。
（引用刊行物記載の発明）
　当審が通知した取消理由で引用した、刊行物１（特開昭５８−１８５０６１号公報）には、プレーヤ本体の前面からディスク５が挿入され、該ディスク５に記録された信号を再生する前面挿入型のディスクプレーヤ１において、ディスク５を搬入及び排出するためのディスク送りローラ７と、該ディスク送りローラ７の起動及び停止を制御するためのローディングモータ１０と、ディスク５の挿入・排出を検知し該ローディングモータ１０に制御信号を送るためのフォトセンサ９を備えたディスクプレーヤが記載されている。（公報第２頁左下欄５〜１７行、第４頁右下欄８〜１２行、第５頁右上欄６行〜同左下欄１２行、第２図）
　刊行物２（実願昭６０−１６９７１４号（実開昭６２−７７４５６号）のマイクロフィルム）には、円板状のディスクを一対のローラで挟持して搬送するディスクのローディング装置において、光学的検出素子１６４は、ディスク４０を検出して駆動源を駆動するもので、ディスク４０の排出時はディスク４０が光学的検出素子１６４に検出されなくなるまでローラ８８がディスク４０を排出する方向に回転駆動するとともに、この時のディスク４０の突出量は比較的わずかであり、ディスク４０の挿入時は、ディスク４０をわずかな距離だけ手で押し込むことによって検出素子１６４がディスク４０の挿入を検出し、ローラ８８が駆動され自動的に引き込まれるようにし、ディスク４０のローディング完了時の状態は、検出素子２１１によって検出されるディスクのローデイング装置が記載されている。（明細書第１７頁１７行〜第２１頁１１行、第１２図）
　刊行物３（特開昭５３−８１１０１号公報）には、プレーヤ本体の前面からレコード盤５が挿入され、該レコード盤５に記録された信号を再生するオートプレーヤにおいて、レコード盤５を搬入及び排出するためのローラ３５、３６と、該ローラ３５、３６の起動及び停止を制御するためのモータ３８と、レコード盤５の挿入を検知し該モータ３８に制御信号を送るためのセンサ９０〜９３と、イジェクト時にレコード盤５が所定の排出位置に到来したときに該モータ３８に制御信号を送るためのセンサ９５、９６を備えたオートプレーヤが記載されている。（公報第４頁左上欄８行〜第５頁左上欄４行、第２、３図）
　刊行物４（特開昭６１−５１６５８号公報）には、駆動ローラ１０によりディスクＤの送り込みと排出を行うディスクプレーヤにおいて、排出されたディスクＤが待機状態であることを検出する光学スイッチ１５、１６と、ディスクＤを搬送する駆動ローラ１０を駆動させるためのスイッチ６を有するディスクプレーヤが記載されている。
（公報第４頁左下欄８行〜第６頁１１行、第２、３図）
（対比・判断）
　訂正後の請求項１に係る発明と上記各刊行物に記載される発明を対比すると、上記各刊行物には、訂正後の請求項１に係る発明を特定する事項である、１つの検知器（Ｃ）でディスク（Ｌ）の３つの状態を検知し駆動ローラを制御する点、即ち
「駆動ローラ（１４）の回転力で排出されるディスク（Ｌ）が、前記駆動ローラ（１４）上に位置し且つ一部がプレーヤ本体（Ｈ）から突出した位置に至ったことを検知して前記駆動ローラ（１４）の排出動作を停止」すること、
「駆動ローラ（１４）上に停止しているディスク（Ｌ）がプレーヤ本体（Ｈ）内へ再度押し込まれたことを前記検知器（Ｃ）が検知したときに、前記駆動ローラ（１４）がディスク送り込み方向へ再始動」すること、
「ディスク（Ｌ）がプレーヤ本体（Ｈ）内での装填位置に至ったときに、これを検知できる位置に設けられており、前記検知器（Ｃ）の前記検知によりディスク送り込み方向へ再始動させられた前記駆動ローラ（１４）が停止」すること、
の３つの制御を行える位置に検知器（Ｃ）を設ける点について記載もなければ、示唆する記載もない。また、上記各刊行物に上記点を示唆する記載がない以上、上記各刊行物に記載される発明をどのように組み合わせてみても上記点を導き出すことはできない。
　そして、訂正後の請求項１に係る発明は、上記点により「１個の検知器によりディスクの安定した位置での待機と、ディスクの再挿入が可能になる」という明細書記載の効果を奏するものであり、訂正後の請求項１に係る発明が、上記各刊行物１〜４に記載された発明であるとも、また上記刊行物１〜４に記載された発明に基づいて当業者が容易に発明できたとすることもできない。
　したがって、訂正後の請求項１に係る発明は、特許出願の際、独立して特許を受けることができるものである。
エ．むすび
　以上のとおりであるから、上記訂正請求は、特許法等の一部を改正する法律（平成６年法律第１１６号）附則第６条第１項の規定により、特許法第１２０条の４第２項及び同条第３項で準用する第１２６条第２〜４項の規定に適合するので、当該訂正を認める。
（３）特許異議の申立てについての判断
ア．申立ての理由の概要
　異議申立人恒本昌美は、甲第１号証（特開昭６３−５１６５８号公報・・・刊行物４）、甲第２号証（実願昭５９−６２３０１号（実開昭６１−４５７６０号）のマクロフィルム）を提出し、請求項１、２に係る発明の特許は、特許法第２９条第２項の規定により特許を受けることができない発明に対してなされたものであり、また、本件特許明細書は特許法第３６条に規定する要件を満たしていない特許出願に対してなされたものであるので、その特許を取り消すべき旨主張している。
　異議申立人神田厚は、甲第１号証（特開昭５８−１８５０６１号公報・・・刊行物１）、甲第２号証（特開昭５３−８１１０１号公報・・・刊行物３）、甲第３号証（特開昭６０−２２４４５９号公報）を提出し、請求項１、２に係る発明の特許は、特許法第２９条第２項の規定により特許を受けることができない発明に対してなされたものであり、その発明の特許を取り消すべき旨主張している。
　異議申立人中村吉孝は、甲第１号証（実願昭６０−１６９７１４号（実開昭６２−７７４５６号）のマイクロフィルム・・・刊行物２）、甲第２号証（特開昭６１−５１６５８号公報・・・刊行物４）を提出し、請求項１、２に係る発明の特許は、特許法第２９条第２項の規定により特許を受けることができない発明に対してなされたものであり、その発明の特許を取り消すべき旨主張している。
イ．本件発明
　請求項１に係る発明については、上記（２）ア．ａ．参照。
　請求項２に係る発明については、下記の通りのものと認める。
「【請求項２】
　駆動ローラ（１４）の回転力によりプレーヤ本体（Ｈ）内へのディスク（Ｌ）の送り込みとプレーヤ本体（Ｈ）内からのディスク（Ｌ）の排出が行われるディスクプレーヤにおいて、プレーヤ本体（Ｈ）内に導入されるディスク（Ｌ）の先端が前記駆動ローラ（１４）に至る前にディスク（Ｌ）の導入を検知して前記駆動ローラ（１４）をディスクの送り込み方向へ始動させる検知器（Ａ）と、前記駆動ローラ（１４）の回転力で排出されるディスク（Ｌ）が前記駆動ローラ（１４）上に位置し且つその一部がプレーヤ本体（Ｈ）から突出した位置に至ったことを検知して前記駆動ローラ（１４）の排出動作を停止させる他の検知器（Ｃ）とが設けられ、前記駆動ローラ（１４）上に停止しているディスク（Ｌ）がプレーヤ本体（Ｈ）内へ再度押し込まれたことを前記検知器（Ｃ）が検知したときに、前記駆動ローラ（１４）がディスク送り込み方向へ再始動させられることを特徴とするディスクプレーヤ。」
ウ．第２９条違反について
　異議申立人恒本昌美の提出した甲第１号証、異議申立人神田厚の提出した甲第１、２号証及び異議申立人中村吉孝の提出した甲１、２号証は、取消理由通知書において刊行物１〜４として引用されているので、上記甲各号証に記載の発明については、上記（２）ウ．（引用刊行物記載の発明）参照。
　上記以外の甲号証記載の発明については、下記のとおりである。
　異議申立人恒本昌美の提出した甲第２号証（実願昭５９−６２３０１号（実開昭６１−４５７６０号）のマクロフィルム）には、ディスクがイジェクト位置に搬送されたことを検出するスイッチ１０３と、イジェクト位置においてディスクが搬入方向に僅かに押されると、プレイスタートスイッチ９３が解放し、再プレイ指令がなされたことが検知されるオートローディングディスクプレーヤが記載されている。（明細書第３８頁３〜１６行）　異議申立人神田厚の提出した甲第３号証（特開昭６０−２１４４５９号公報）には、一度演奏を終了したディスク５を再演奏したい場合、該ディスク５をディスク挿入方向に僅かに押すことによりプレイスタートスイッチ９３が動作して再演奏がなされるオートローディングディスクプレーヤが記載されている。
（対比・判断）
・請求項１について
　上記異議申立人恒本昌美の提出した甲第２号証（実願昭５９−６２３０１号（実開昭６１−４５７６０号）のマクロフィルム）及び異議申立人神田厚の提出した甲第３号証（特開昭６０−２１４４５９号公報）を加えて対比・判断したとしても、上記（２）ウ．独立特許要件の（対比・判断）で記載したと同じ理由により、訂正後の請求項１に係る発明は、上記各異議申立人の提出した証拠に基づいて当業者が容易に発明することができたものとはいえない。
・請求項２について
　請求項２に係る発明と上記各異議申立人の提出した各甲号証刊行物に記載される発明を対比すると、上記各甲号証刊行物には、請求項２に係る発明を特定する事項である、「プレーヤ本体（Ｈ）内に導入されるディスク（Ｌ）の先端が前記駆動ローラ（１４）に至る前にディスク（Ｌ）の導入を検知して前記駆動ローラ（１４）をディスクの送り込み方向へ始動させる検知器（Ａ）と、前記駆動ローラ（１４）の回転力で排出されるディスク（Ｌ）が前記駆動ローラ（１４）上に位置し且つその一部がプレーヤ本体（Ｈ）から突出した位置に至ったことを検知して前記駆動ローラ（１４）の排出動作を停止させる他の検知器（Ｃ）とが設けられ、前記駆動ローラ（１４）上に停止しているディスク（Ｌ）がプレーヤ本体（Ｈ）内へ再度押し込まれたことを前記検知器（Ｃ）が検知したときに、前記駆動ローラ（１４）がディスク送り込み方向へ再始動させられる１点、即ち、ディスクの排出・再導入を検知する他の検知器（Ｃ）とは別に、ディスクの最初の導入を検知する検知器（Ａ）を設ける点について記載もなければ、示唆する記載もない。
　そして、請求項２に係る発明は、上記点により「最初のディスク挿入のときには、駆動ローラに至る前にこの駆動ローラを始動でき、排出のときにはディスクが駆動ローラに保持された安定状態にて待機させることができ、またこの待機状態からディスクを押すと、直ちに検知器によりこれを検知してディスクをプレーヤ本体内に送り込むことができる」という明細書記載の効果を奏するものであり、請求項２に係る発明が、上記各異議申立人の提出した各甲号証刊行物に記載された発明に基づいて当業者が容易に発明できたとすることはできない。
エ．３６条違反について
　異議申立人恒本昌美は、その申立書において
「単一の検知器Ｃのみでは、ディスクの排出、待機、再度の送り込みの３つのモードに合わせて、駆動ローラの正転、停止、逆転を制御することは不可能であり、他に何らかの制御手段が必要であるので、請求項１及び請求項２は、発明の構成に必要不可欠な事項が記載されていない」として、「本発明の請求項１の記載では、そのような他の手段を明確にすることなく、あたかも一つの検出器がディスクの状態を検出し、モータの回転方向の制御までも行うことができるように記載されている。このような記載は、検出器自体の構成を明確にするものではなく、単に発明の目的あるいは作用のみを記載したものに過ぎず、発明の構成に欠くことのできない事項が明瞭に記載されているとは認められない」と主張している。
　上記主張を検討すると、検知器は、駆動ローラの回転力で排出されるディスクが駆動ローラ上に位置し且つその一部がプレーヤ本体から突出した位置に至ったことを検知したり、再度押し込まれたことを検知した際、そのオン・オフによりディスクの動きを検出できる位置にあるのであるから、その信号によりその後の制御動作の起動信号となるものと認められる。そして、請求項１、２に係る発明は、この起動信号に基づいて駆動ローラの正転反転などの制御動作を行うものであるが、その具体的な制御はマイコンやその他の機器などで容易に制御できる程度であることは当業者であれば自明であるから、その具体的な制御手段が明確でないからといって本件特許明細書に不備があるとすることはできない。
　したがって、異議申立人恒本昌美の上記主張は採用することができない。
オ．むすび
　以上のとおりであるから、特許異議の申立ての理由及び証拠によっては、本件発明の特許を取り消すことはできない。
　また、他に本件発明の特許を取り消すべき理由を発見しない。
　よって、結論のとおり決定する。
【異議決定日】
平成１１年８月２日（１９９９．８．２）
【訂正の要旨】
訂正の要旨
ａ．請求項１を、特許請求の範囲の減縮を目的として下記のように訂正する。
「【請求項１】
　駆動ローラ（１４）の回転力によりプレーヤ本体（Ｈ）内へのディスク（Ｌ）の送り込みとプレーヤ本体（Ｈ）内からのディスク（Ｌ）の排出が行われるディスクプレーヤにおいて、前記駆動ローラ（１４）の回転力で排出されるディスク（Ｌ）が、前記駆動ローラ（１４）上に位置し且つ一部がプレーヤ本体（Ｈ）から突出した位置に至ったことを検知して前記駆動ローラ（１４）の排出動作を停止させる検知器（Ｃ）が設けられ、前記駆動ローラ（１４）上に停止しているディスク（Ｌ）がプレーヤ本体（Ｈ）内へ再度押し込まれたことを前記検知器（Ｃ）が検知したときに、前記駆動ローラ（１４）がディスク送り込み方向へ再始動させられ、且つ前記検知器（Ｃ）は、このディスク（Ｌ）がプレーヤ本体（Ｈ）内での装填位置に至ったときに、これを検知できる位置に設けられており、前記検知器（Ｃ）の前記検知によりディスク送り込み方向へ再始動させられた前記駆動ローラ（１４）が停止することを特徴とするディスクプレーヤ。」
ｂ．特許明細書段落【０００８】の【課題を解決するための手段】の記載を、不明瞭な記載の釈明を目的として下記のように訂正する。
「【０００８】
【課題を解決するための手段】
第１の本発明は、駆動ローラ（１４）の回転力によりプレーヤ本体（Ｈ）内へのディスク（Ｌ）の送り込みとプレーヤ本体（Ｈ）内からのディスク（Ｌ）の排出が行われるディスクプレーヤにおいて、前記駆動ローラ（１４）の回転力で排出されるディスク（Ｌ）が、前記駆動ローラ（１４）上に位置し且つ一部がプレーヤ本体（Ｈ）から突出した位置に至ったことを検知して前記駆動ローラ（１４）の排出動作を停止させる検知器（Ｃ）が設けられ、前記駆動ローラ（１４）上に停止しているディスク（Ｌ）がプレーヤ本体（Ｈ）内へ再度押し込まれたことを前記検知器（Ｃ）が検知したときに、前記駆動ローラ（１４）がディスク送り込み方向へ再始動させられ、且つ前記検知器（Ｃ）は、このディスク（Ｌ）がプレーヤ本体（Ｈ）内での装填位置に至ったときに、これを検知できる位置に設けられており、前記検知器（Ｃ）の前記検知によりディスク送り込み方向へ再始動させられた前記駆動ローラ（１４）が停止することを特徴とするものである。」
ｃ．特許明細書段落【００１１】の【作用】の記載を、不明瞭な記載の釈明を目的として下記のように訂正する。
「【作用】
前記第１の発明では、ディスクの再生などが完了したときに、送り機構に設けられた駆動ローラの回転力によってディスクが排出されるが、ディスクが駆動ローラ上に位置する時点で、検知器により排出完了の検知がなされ、その位置で駆動ローラが停止する。よって、ディスクがプレーヤ本体から突出して待機するときに、ディスクの後端が駆動ローラ上にて保持された状態となる。よって待機状態のディスクが安定して保持されることになり、挿入口などからディスクが落下するおそれがない。また挿入口などからのディスクの突出寸法が大きくても、ディスクが自重で落下しなくなる。また上記の待機状態で、ディスクが少し押されると、前記検知器によりディスクの押し込みが検知され、駆動ローラが送り込み方向へ始動し、再度ディスクがプレーヤ本体内に送り込まれる。そしてディスクが装填位置に至ったことを前記検知器が検知して、前記駆動ローラが停止する。このように１つの検知器により、ディスクの安定した待機位置での保持と、その位置からの再挿入の検知が可能になる。」
（５４）【発明の名称】
ディスクプレーヤ
（５７）【特許請求の範囲】
　　【請求項１】　駆動ローラ（１４）の回転力によりプレーヤ本体（Ｈ）内へのディスク（Ｌ）の送り込みとプレーヤ本体（Ｈ）内からのディスク（Ｌ）の排出が行われるディスクプレーヤにおいて、前記駆動ローラ（１４）の回転力で排出されるディスク（Ｌ）が、前記駆動ローラ（１４）上に位置し且つ一部がプレーヤ本体（Ｈ）から突出した位置に至ったことを検知して前記駆動ローラ（１４）の排出動作を停止させる検知器（Ｃ）が設けられ、前記駆動ローラ（１４）上に停止しているディスク（Ｌ）がプレーヤ本体（Ｈ）内へ再度押し込まれたことを前記検知器（Ｃ）が検知したときに、前記駆動ローラ（１４）がディスク送り込み方向へ再始動させられ
、且つ前記検知器（Ｃ）は、このディスク（Ｌ）がプレーヤ本体（Ｈ）内での装填位置に至ったときに、これを検知できる位置に設けられており、前記検知器（Ｃ）の前記検知によりディスク送り込み方向へ再始動させられた前記駆動ローラ（１４）が停止す
　　【請求項２】　駆動ローラ（１４）の回転力によりプレーヤ本体（Ｈ）内へのディスク（Ｌ）の送り込みとプレーヤ本体（Ｈ）内からのディスク（Ｌ）の排出が行われるディスクプレーヤにおいて、プレーヤ本体（Ｈ）内に導入されるディスク（Ｌ）の先端が前記駆動ローラ（１４）に至る前にディスク（Ｌ）の導入を検知して前記駆動ローラ（１４）をディスクの送り込み方向へ始動させる検知器（Ａ）と、前記駆動ローラ（１４）の回転力で排出されるディスク（Ｌ）が前記駆動ローラ（１４）上に位置し且つその一部がプレーヤ本体（Ｈ）から突出した位置に至ったことを検知して前記駆動ローラ（１４）の排出動作を停止させる他の検知器（Ｃ）とが設けられ、前記駆動ローラ（１４）上に停止しているディスク（Ｌ）がプレーヤ本体（Ｈ）内へ再度押し込まれたことを前記検知器（Ｃ）が検知したときに、前記駆動ローラ（１４）がディスク送り込み方向へ再始動させられることを特徴とするディスクプレーヤ。
【発明の詳細な説明】
　【０００１】
　　【産業上の利用分野】
　本発明はコンパクトディスクプレーヤ、ビデオディスクプレーヤなどのディスクプレーヤに係り、特にディスクがプレーヤ本体から排出されるときに、ディスクが安定した排出位置にて停止できるようにし、またその位置からのディスクの再導入を可能にし、さらにディスクの最初の導入もスムーズに行えるようにしたディスクプレーヤに関する。
　【０００２】
　　【従来の技術】
　例えば、車載用のディスクプレーヤでは、挿入口からディスクが導入されると、駆動ローラを有する送り機構によりディスクがプレーヤ本体内へ送られ、プレーヤ本体内のディスク駆動機構上にディスクが設置されて再生などが行われる。また再生などの駆動が完了したディスクは上記送り機構により挿入口から排出される方向へ送られることになる。
　【０００３】
　　【発明が解決しようとする課題】
　この種のディスクプレーヤでは、ディスクを排出するときに、挿入口から完全にディスクを送り出してしまうと、ディスクが挿入口から飛び出して落下することになる。そこで、ディスクが挿入口から突出したときに手で引き抜かれるまでその位置で待機させなければならない。このようにディスクを挿入口から突出させて待機させる構造のディスクプレーヤでは以下の特有の問題点がある。
　【０００４】
　（１）ディスクを排出するときに、駆動ローラを有する送り機構を挿入口の内側の近傍に設けておくと、挿入口からディスクのほとんどの部分が突出した時点で、ディスクが駆動ローラから外れるため、駆動ローラから外れた直後のディスクが挿入口から落下しやすくなる。そこで、駆動ローラを有する送り機構を挿入口からプレーヤ本体内に離れた位置に配置し、挿入口からディスクの先端部分だけ突出した時点でディスク送り力を断つなどの対策が必要になる。
　【０００５】
　（２）前記のように、送り機構が挿入口からプレーヤ本体内へ離れた位置に設けられている場合には、新たにディスクを装填するときに、ディスクを挿入口から深い位置まで押込まないと、ディスク先端が駆動ローラの位置に達しない。このようにディスクを挿入口から非常に深い位置まで挿入しないとディスクが送り込まれない構造では、ディスクの挿入時に非常に不便に感じることになる。
　【０００６】
　（３）ディスクが一旦排出されて挿入口から突出して待機している状態で、そのディスクが押されたときに、ディスクが再度プレーヤ本体内に引き込まれる構造にすることが必要である。そのため、ディスクが待機状態から押し込まれたときに、ディスクの移動を検知する検知部材を設け、この検知部材の検知に基づいて駆動ローラをディスク引き込み方向へ始動させることが必要である。この場合、前記のように送り機構が挿入口から離れた位置にあるものでは、上記の検知部材も、同様に挿入口から離れた位置に配置されることになる。したがって、新たなディスクを挿入するときにも、挿入口からディスクを深く差し込まなければ前記検知部材によりディスクを検知できず、駆動ローラを始動できないことになる。このようにディスクを挿入口から深く差し込まなくてはならないものでは、挿入操作が不便に感じることになる。
　【０００７】
　本発明は上記従来の課題を解決するものであり、ディスクが排出されるときに、ディスクを挿入口から突出させた状態で安定して保持することができるようにすることを主な目的とし、あわせて、その保持状態からディスクが押し込まれたときにそのままディスクをプレーヤ本体内に送り込めるようにし、さらに、新たにディスクが挿入されるときには、ディスクを送り機構により直ちに送り込めるようにすることを目的としている。
　【０００８】
　　【課題を解決するための手段】
　第１の本発明は、駆動ローラ（１４）の回転力によりプレーヤ本体（Ｈ）内へのディスク（Ｌ）の送り込みとプレーヤ本体（Ｈ）内からのディスク（Ｌ）の排出が行われるディスクプレーヤにおいて、前記駆動ローラ（１４）の回転力で排出されるディスク（Ｌ）が、前記駆動ローラ（１４）上に位置し且つ一部がプレーヤ本体（Ｈ）から突出した位置に至ったことを検知して前記駆動ローラ（１４）の排出動作を停止させる検知器（Ｃ）が設けられ、前記駆動ローラ（１４）上に停止しているディスク（Ｌ）がプレーヤ本体（Ｈ）内へ再度押し込まれたことを前記検知器（Ｃ）が検知したときに、前記駆動ローラ（１４）がディスク送り込み方向へ再始動させられ
、且つ前記検知器（Ｃ）は、このディスク（Ｌ）がプレーヤ本体（Ｈ）内での装填位置に至ったときに、これを検知できる位置に設けられており、前記検知器（Ｃ）の前記検知によりディスク送り込み方向へ再始動させられた前記駆動ローラ（１４）が停止す
　【０００９】
　【００１０】
　第２の本発明は、駆動ローラ（１４）の回転力によりプレーヤ本体（Ｈ）内へのディスク（Ｌ）の送り込みとプレーヤ本体（Ｈ）内からのディスク（Ｌ）の排出が行われるディスクプレーヤにおいて、プレーヤ本体（Ｈ）内に導入されるディスク（Ｌ）の先端が前記駆動ローラ（１４）に至る前にディスク（Ｌ）の導入を検知して前記駆動ローラ（１４）をディスクの送り込み方向へ始動させる検知器（Ａ）と、前記駆動ローラ（１４）の回転力で排出されるディスク（Ｌ）が前記駆動ローラ（１４）上に位置し且つその一部がプレーヤ本体（Ｈ）から突出した位置に至ったことを検知して前記駆動ローラ（１４）の排出動作を停止させる他の検知器（Ｃ）とが設けられ、前記駆動ローラ（１４）上に停止しているディスク（Ｌ）がプレーヤ本体（Ｈ）内へ再度押し込まれたことを前記検知器（Ｃ）が検知したときに、前記駆動ローラ（１４）がディスク送り込み方向へ再始動させられることを特徴とするものである。
　【００１１】
　　【作用】
　前記第１の発明では、ディスクの再生などが完了したときに、送り機構に設けられた駆動ローラの回転力によってディスクが排出されるが、ディスクが駆動ローラ上に位置する時点で、検知器により排出完了の検知がなされ、その位置で駆動ローラが停止する。よって、ディスクがプレーヤ本体から突出して待機するときに、ディスクの後端が駆動ローラ上にて保持された状態となる。よって待機状態のディスクが安定して保持されることになり、挿入口などからディスクが落下するおそれがない。また挿入口などからのディスクの突出寸法が大きくても、ディスクが自重で落下しなくなる。また上記の待機状態で、ディスクが少し押されると、前記検知器によりディスクの押し込みが検知され、駆動ローラが送り込み方向へ始動し、再度ディスクがプレーヤ本体内に送り込まれる。
そしてディスクが装填位置に至ったことを前記検知器が検知して、前記駆動ローラが停止する。
　【００１２】
　【００１３】
　第２の発明では、新たにディスクが挿入されるときには、ディスクが駆動ローラにかかる前の時点で、検知器により検知されて駆動ローラが始動し、ディスクがプレーヤ本体内に送り込まれる。ディスクが排出されるときには、ディスクが駆動ローラ上に位置する時点で、他の検知器により検知され、駆動ローラが停止する。この待機状態では、ディスクが駆動ローラにより保持されているため、ディスクが落下することなく安定して保持される。また、新たに挿入されるディスクは、少し挿入するだけで駆動ローラが始動してその後に直ちにディスクがプレーヤ本体内に送り込まれることになり、また、排出時には駆動ローラに保持された安定した状態で保持されることになる。
　また、安定した状態に保持されたディスクを再挿入するときには、前記他の検知器により再挿入が検知されて、駆動ローラが始動する。
　上記の制御は２個の検知器の検知出力のみで実現できる。
　【００１４】
　　【実施例】
　以下、本発明の一実施例を図面を用いて説明する。
　図１はディスクプレーヤの操作部を示す正面図である。
　この図において、１１は操作パネルである。操作パネル１１には、各種表示を行なう液晶表示素子などからなるディスプレイ１３と、例えば小径のディスク（Ｓ）および大径のディスク（Ｌ）のように径の相違する複数種類のディスクが挿入される挿入口１２とが設けられている。この操作パネル１１はプレーヤ本体（Ｈ）の前面に取付けられて、プレーヤ本体（Ｈ）の各機能を操作できるようになっている。
　図２ならびに図３は装置本体（Ｈ）の平面図で、図４はプレーヤ本体の側面図である。
　【００１５】
　図２ならびに図３において、符号１４は大径のディスク（Ｌ）の中央を挟持しないように両端方向に向って徐々に太い径となっている駆動ローラである。この駆動ローラ１４の一端は一方のサイドシャーシ１５ａに軸支され、他端はサイドシャーシ１５ｂに軸支されている。図４に示すように、駆動ローラ１４には、サイドシャーシ１５ｂの外側にて歯車１６が取付けられている。この歯車１６は、サイドシャーシ１５ｂに設けられたモータ１７の回転力を伝達する歯車列１８と噛合っており、モータの回転力によって駆動ローラ１４が回転駆動される。駆動ローラ１４は、相手側となるプラスチック製の対向部材に弾圧されており、大径および小径のディスク（Ｌ）と（Ｓ）は、駆動ローラ１４と対向部材とにより構成される送り機構に挟持される。
　図２ならびに図３において、符号２０はディスク駆動機構を示している。このディスク駆動機構２０は、両サイドシャーシ１５ａ，１５ｂに取付けられた振動吸収用の４個のダンパー１９ａ，１９ｂ（他の２個は図に現れない）に支持されている。このダンパーの存在により車載用として使用された場合に、車体振動や衝撃からディスク駆動機構２０が保護されるようになる。
　【００１６】
　図２と図３には現れていないが、ディスク駆動機構２０の下シャーシには、ディスク（Ｓ）または（Ｌ）を回転させるターンテーブル、ならびに小径のディスク（Ｓ）あるいは大径のディスク（Ｌ）に書き込まれた信号を読取る光学的ピックアップ機構が装備されている。
　上記下シャーシの上には上シャーシが設けられ、この上シャーシにクランパー２６が設けられている。ディスク駆動機構２０では、各ディスク（Ｓ）と（Ｌ）の中心部がターンテーブルとクランパー２６とで挟持され、ターンテーブルにより回転駆動される。
　ディスクの搬入経路内には、図２にて矢印方向へ移動するディスクを位置決めするストッパ３１が設けられている。このストッパ３１は、大径のディスク（Ｌ）の半径と同じまたはディスク（Ｌ）の半径よりもわずかに大きな曲率半径にて彎曲して形成され、その凹曲面側がディスク搬入方向へ向けられている。
　【００１７】
　ストッパ３１よりも挿入口側には一対のディスク規制突起３７ａ，３７ｂが設けられている。図２に示すようにストッパ３１がクランパー２６に近い位置へ移動しているとき、ディスク規制突起３７ａ，３７ｂがストッパ３１よりも図示左側にやや突出しており、このときストッパ３１はその位置で移動できないように上シャーシに対してロックされている。
　大径のディスク（Ｌ）により、両ディスク規制突起３７ａと３７ｂが同時にストッパ３１方向へ押されると、ストッパ３１のロックが解除され、大径のディスク（Ｌ）とともにストッパ３１が図２の図中の矢印方向へ移動し、ストッパ３１は図２の図中の右端の位置まで移動する。なお、ストッパ３１を図２の図中の右端位置から左側へ復帰移動させる復帰機構が設けられている。
　【００１８】
　ディスク駆動機構２０の中心部に搬入される小径のディスク（Ｓ）は、その縁の（イ）部が円弧形状のストッパ３１のほぼ中心部に当り、このとき、縁の（ロ）部と（ハ）部の両部分が各ディスク規制突起３７ａと３７ｂとに当たるようになる。小径のディスク（Ｓ）は、上記（イ）、（ロ）ならびに（ハ）部の３点にてターンテーブルの中心上に至るように位置決めされることになる。また図３に示すディスク通路の縁と各ディスク規制突起３７ａならびに３７ｂとの距離１は、小径のディスク（Ｓ）の半径よりも小さい寸法となるように設定されている。
　大径のディスク（Ｌ）が供給されると、このディスク（Ｌ）の縁部の半径が小径のディスク（Ｓ）の半径よりも大きいため、しかもストッパ３１の凹曲面の曲率がディスク（Ｌ）の半径にほぼ一致しているため、ディスク（Ｌ）の縁の（イ）部がストッパ３１に当たると、縁の（ニ）部と（ホ）部とによってディスク規制突起３７ａと３７ｂが図の右方向（通路奥方向）へ押される。その結果、ストッパ３１のロックが外れ、ディスク（Ｌ）によってストッパ３１が奥方向へ押し込まれるようになる。
　【００１９】
　図２に示すように、ディスクの挿入通路内にはＡ、Ｂ、Ｃ、Ｄで示す４箇所に位置する光学検知器が設けられている。本発明の検知部材はこの光学検知器により構成されている。
　各光学検知器Ａ〜Ｄは、ディスク挿入通路を挟んで対向する発光素子ならびに受光素子を有している。そして光を一定径に絞る絞り部材が設けられている。この各光学検知器Ａ〜Ｄのうち、第１の光学検知器Ａはディスク挿入ならびに排出検知用であり、挿入口１２と駆動ローラ１４との中間位置で且つディスク挿入通路の中心位置に配置されている。
　第２の光学検知器Ｂは小径のディスク（Ｓ）または大径のディスク（Ｌ）の中心がターンテーブルの上に来ているときに、いずれのディスクであっても遮断される位置に配置されている。
　【００２０】
　第３の光学検知器Ｃは大径のディスク（Ｌ）の中心がターンテーブルの上に来ているときに、ディスク（Ｌ）の縁部から外れる位置に配置されている。また第３の光学検知器Ｃは、大径のディスク（Ｌ）が排出されたことを検知する機能を有しており、このディスク（Ｌ）が光学検知器Ｃを遮断しない位置まで移動したときに排出動作が完了される。また、排出されたディスク（Ｌ）の再挿入もこの光学検知器Ｃにより検知される。
　また第４の光学検知器Ｄは図において左側に示されている位置に排出された小径のディスク（Ｓ）が再度押し込まれたときに、このディスク（Ｓ）により遮断されることによって、この押し込み動作を検知するだめのものである。この第４の光学検知器Ｄは、小径のディスク（Ｓ）の挿入側先端が駆動ローラ１４で挟まれる位置まで挿入されたときに、このディスク（Ｓ）の先端によって遮断される位置に設けられている。
　【００２１】
　ディスクの装填動作について説明する。
　ディスクが再生されていないときには、ストッパ３１が図２の図中の左側の位置および図３に示す位置すなわちクランパー２６に近い側にあり、一対のディスク規制突起３７ａと３７ｂが、ストッパ３１よりも挿入口１２側へ位置し、ストッパ３１がロックされている。
　小径のディスク（Ｓ）が挿入されると、その先端の（イ）部がストッパ３１のほぼ中央部に当たったときに、（ロ）部と（ハ）部がディスク規制突起３７ａならびに３７ｂに当る状態になる。すなわちディスク規制突起３７ａと３７ｂの双方がストッパ３１の方向へ押し込まれることはなく、ストッパ３１のロックは解除されない。よってディスク（Ｓ）は、ストッパ３１に当たり、その中心がディスク駆動機構２０に位置決めされた位置で留まる。
　【００２２】
　また小径のディスク（Ｓ）の場合には、必ずしも挿入口１２の中心部に挿入されるとは限られず、例えば、図３に示すようにディスク（Ｓ）が、サイドシャーシ１５ａ側に片寄った状態で挿入される場合もある。このような場合、ディスク（Ｓ）の縁に最初に当るディスク規制突起３７ａと通路端までの距離１は、小径のディスク（Ｓ）の半径よりも狭くなっている。よってこのディスクが図３に示す経路にて引き込まれ規制突起３７ａに当ると、この規制突起３７ａを支点としてディスク（Ｓ）はその（イ）部がストッパ３１に当るように回動して送り込まれ、ディスク中心がターンテーブルの上に導かれることになる。なお、このとき、ディスク（Ｓ）の縁部がディスク規制突起３７ａを図示右方向へ押すが、一方のディスク規制突起３７ａのみが押されても、両ディスク規制突起３７ａと３７ｂが同時に押されない限りストッパ３１のロックは外れず、ストッパ３１は図３の位置に留まる。
　ディスク（Ｓ）の中心がディスク駆動機構２０のターンテーブル上に至ったことが後述の検知動作によって認識されると、クランパー２６とターンテーブルとによってディスク（Ｓ）がクランプされる。
　【００２３】
　次に、大径のディスク（Ｌ）が挿入口１２から挿入されて、駆動ローラ１４によって送り込まれると、図２に示すように、ディスク（Ｌ）の縁の（ニ）部と（ホ）部がほぼ同時にディスク規制突起３７ａと３７ｂに当る。またストッパ３１はほぼディスク（Ｌ）の外周に沿う凹形状であるため、ディスク（Ｌ）がストッパ３１のほぼ全面に沿って当たり、よって、両規制突起３７ａと３７ｂがほぼ同時にストッパ３１の方向へ押される。そのためストッパ３１のロックが解除される。さらに駆動ローラ１４によってディスク（Ｌ）が送り込まれると、これに押されてストッパ３１は通路奥方向へ移動させられる。ストッパ３１が通路奥方向へ移動させられた状態で、ディスク（Ｌ）はその中心がターンテーブルの上に一致し、クランバー２６によりディスク（Ｌ）の中心部がターンテーブルにクランプされる。
　【００２４】
　次に、挿入されるディスクの挿入検知ならびに排出検知について説明する。
　図２ならびに図３に示すように、ディスクの挿入通路には、本発明での検知部材としてＡ〜Ｄで示す光学検知器が設けられている。以下の説明において、光学検知器では、ディスクが光を遮断したときをＯＮ、ディスクが光を遮断していないときをＯＦＦとして説明する。
　まず、駆動ローラ１４のモータ１７が停止しているときに、小径のディスク（Ｓ）または大径のディスク（Ｌ）が挿入口１２から挿入されると、各ディスクの先端によって第１の光学検知器ＡがＯＮになり、これによってモータが始動して駆動ローラ１４が回転し、ディスクが引き込まれる。すなわち、ディスク（Ｓ）または（Ｌ）の挿入方向先端が、駆動ローラ１４を有する送り機構に至る前に、第１の光学検知器Ａによりディスクの挿入が検知され、駆動ローラ１４が回転し始め、挿入されたディスクは直ちに駆動ローラ１４により送り込まれることになる。
　【００２５】
　次に小径のディスク（Ｓ）か大径のディスク（Ｌ）であるかならびにこれらのディスクの中心がターンテーブルの真上に来ているか否かの識別は次のように行なわれる。
　大径のディスク（Ｌ）の中心がターンテーブルの上に設置された状態では、第２の光学検知器Ｂと第１の光学検知器ＡがＯＮであり、第３の光学検知器ＣはＯＦＦである。大径ディスク（Ｌ）が引き込まれている途中においては、光学検知器Ａ、Ｂ、Ｃが全てＯＮとなる場合があるが、この場合には、第３の光学検知器ＣがＯＦＦになったときに装填完了である。
　【００２６】
　また小径のディスク（Ｓ）の中心がターンテーブルの上に設置された状態では、第２の光学検知器ＢがＯＮで、第３と第１の光学検知器ＣとＡではＯＦＦである。第１の光学検知器Ａと第２の光学検知器Ｂは、小径ディスク（Ｓ）によって同時にＯＮにできない位置に配置されている。よって例えば、小径ディスク（Ｓ）が引き込まれるとき、その挿入経路によって第１の光学検知器ＡだけがＯＮの場合と、第１と第３の光学検知器ＡとＣが同時にＯＮになる場合があるが、ディスク（Ｓ）が進行して、第２の光学検知器ＢがＯＮになると第１の光学検知器Ａは必ずＯＦＦになり、このときに、正規の位置への装填が確認できる。
　すなわち光学検知器ＡとＢが同時にＯＮの場合があるかないかによって小径ディスク（Ｓ）か大径ディスク（Ｌ）であるかの識別が可能になっている。
　【００２７】
　上記の各光学検知器の配置により、例えば図５に示すようなフローチャートによってディスク装填検知ならびに識別検知が可能になる。
　まず駆動ローラ１４を駆動するモータがＯＦＦの状態で、第１の光学検知器ＡがＯＮになったときに、モータ１７へ始動指令を発して駆動ローラ１４を送り方向へ回転させる。
　【００２８】
　ディスクの送り込み過程では、第１の光学検知器ＡがＯＮのままで第３の光学検知器ＣがＯＮになる場合、またはこれに加えて第２の光学検知器ＢがＯＮになる場合、あるいは、第１の光学検知器ＡのみがＯＮとなったままの状態などが生じるが、制御としては、第２の光学検知器ＢがＯＮになるのを待ち、この検知器ＢがＯＮになったときに識別ならびに装填動作が完了したか否かの確認動作を開始する。すなわち第２の光学検知器ＢがＯＮになったときに、第１ならびに第３の光学検知器ＡならびにＣを確認し両方においてＯＦＦになっていれば小径のディスク（Ｓ）の装填完了である。よって図４に示すソレノイド（ＳＯＬ）を励磁させて、駆動ローラ１４への動力を断ち、同時にディスクのクランプ動作に移行する。
　また第２の光学検知器ＢがＯＮになったときに、第１と第３の光学検知器ＡとＣが共にＯＮであれば、大径のディスク（Ｌ）の引き込み途中である。よって検知器ＢがＯＮのまま第３の光学検知器ＣがＯＦＦになったことを確認すれば大径のディスク（Ｌ）の装填完了である。よって駆動ローラ１４を停止し、クランプ動作に移行する。
　【００２９】
　次にディスクの排出制御は次のようにして行なう。
　大径のディスク（Ｌ）の場合には、イジェクト操作によってクランプを解除するとともに、モータ１７によって駆動ローラ１４を逆転させ、ディスク（Ｌ）を排出する。そしてそれまでＯＦＦだった第３の光学検知器Ｃが一旦ＯＮになった後さらにＯＦＦになったときにモータを停止する。このとき図２の左側に示すように、ディスク（Ｌ）の後端が駆動ローラ１４上に位置してディスク（Ｌ）が挿入口１２から突出した状態となる。
　この状態でのディスク（Ｌ）は一部が挿入口１２から突出し、しかも送り機構での駆動ローラ１４と対向部材とで弾性的に挟持されているため、ディスク（Ｌ）は安定した状態での待機となり、ディスク（Ｌ）の挿入口１２からの突出寸法が長くても、ディスクが挿入口から落下することはない。また大径のディスク（Ｌ）の待機位置は、図２に示すように一部が駆動ローラ１４上に位置する状態であり、最初の挿入時に第１の光学検知器Ａにより検知された導入検知位置よりも、プレーヤ本体Ｈ内方側である。
　【００３０】
　次に小径のディスク（Ｓ）の排出動作では、イジェクト操作によってクランプが解除された後に、モータ１７を一定時間だけ駆動する。小径のディスク（Ｓ）は、駆動ローラ１４から外れたときに送り力が断たれ、その位置に停止する。小径のディスク（Ｓ）の場合には、挿入口１２と駆動ローラ１４との距離を適正に設定しておけば、駆動ローラ１４から外れた時点で、ディスク（Ｓ）が挿入口１２から突出する長さを適度なものにでき、挿入口１２からディスク（Ｓ）が落下しない待機状態にできる。また、この小径ディスク（Ｓ）の待機位置は、最初の挿入のときに第１の光学検知器Ａにより検知される導入検知位置よりもプレーヤ本体Ｈの内側の位置となる。
　【００３１】
　一旦排出されて上記の待機状態となったディスクが再度押し込まれたときの制御は以下の通りである。
　大径のディスク（Ｌ）の場合には、待機位置から押し込まれると、第３の光学検知器Ｃが再度ＯＮになり、これによりモータ１７が始動して駆動ローラ１４によりディスク（Ｌ）がプレーヤ本体Ｈ内へ送り込まれる。
　小径のディスク（Ｓ）の場合には、待機位置から押し込まれると、第４の光学検知器ＤがＯＮになる。そして駆動ローラ１４が再度駆動され、ディスクがプレーヤ本体Ｈ内に送り込まれる。
　【００３２】
　すなわち大径のディスク（Ｌ）または小径のディスク（Ｓ）が、新たに挿入されるときには、駆動ローラ１４よりも充分に手前の位置で第１の検知部材Ａにより検知されて、駆動ローラが始動するが、一旦排出されたときの待機位置からの再挿入では、ディスクが駆動ローラ上にある状態で検知部材ＣまたはＤにより検知されることになり、待機位置から直ちに駆動ローラ１４によりプレーヤ本体Ｈ内に引き込まれることになる。
　なお、ディスク（Ｌ）または（Ｓ）が待機状態から押し込まれ、光学検知器ＣまたはＤがＯＮになったときに、駆動ローラ１４によりディスクを挿入口１２の方向へ押し戻してもよい。
　【００３３】
　　【発明の効果】
　以上のように請求項１記載の発明では、排出されて待機位置となったディスクが駆動ローラに保持された安定した状態になり、待機状態からのディスクの落下を防止できる。この安定した待機位置からディスクが押されたときには、そのままディスクを直ちに送り込むことが可能になる。すなわち１個の検知器により、ディスクの安定した位置での待機と、ディスクの再挿入とが可能になる。
　【００３４】
　【００３５】
　請求項２記載の発明では、最初のディスクの挿入のときには、駆動ローラに至る前にこの駆動ローラを始動でき、排出のときにはディスクが駆動ローラに保持された安定状態にて待機させることができ、またこの待機状態からディスクを押すと、直ちに検知器によりこれを検知してディスクをプレーヤ本体内に送り込むことができる。
【図面の簡単な説明】
　　【図１】
ディスクプレーヤの操作部を示す正面図
　　【図２】
ディスクプレーヤの平面図
　　【図３】
ディスクプレーヤの平面図
　　【図４】
ディスクプレーヤのプレーヤ本体を示す側面図
　　【図５】
本発明の実施例における検知装置の制御フローチャートを示す説明図
　　【符号の説明】
Ｓ　小径のディスク
Ｌ　大径のディスク
１２　挿入口
１４　搬入ロ−ラ
２０　ディスク駆動機構
２６　クランパー
３１　ストッパ
３７ａ，３７ｂ　ディスク規制突起
Ａ　第１の光学検知器（検知部材）
Ｂ　第２の光学検知器（検知部材）
Ｃ　第３の光学検知器（検知部材）
Ｄ　第４の光学検知器（検知部材）